(57)【特許請求の範囲】
【請求項１】
洗濯槽を内設した水受け槽を吊り棒にて上部より吊り下げた外箱と、前記外箱の上部に設けられ略中央開口部を有する上部枠体と、前記上部枠体の略中央開口部の後部に設けた軸支部に軸支され前記略中央開口部を開閉する開閉蓋とを備え、前記開閉蓋は、前記軸支部に軸支される軸支受け部を後部下面から後方に延設して設け、かつ、前記軸支受け部近傍の前記開閉蓋上面部に上方へ凸で前後方向に延びた補強リブを複数本設けるとともに、前記軸支受け部近傍の前記開閉蓋裏面には補強リブを設けず、さらに、前記開閉蓋の後部上方には、前記補強リブを覆うカバーを装着し、前記カバーは、表面にひけとして現れる補強リブを裏面に設けない構成とした洗濯機。
【請求項２】
開閉蓋は、略中央にて前後に分割して前面蓋部と後面蓋部とで構成し、前記後面蓋部の後部上方に装着され、前記補強リブを覆うカバーは、両端部の幅が前方へ広くなるよう前端部を曲線状に形成した請求項１記載の洗濯機。
【請求項３】
開閉蓋は、カバーが装着されるカバー装着面の外周部を低くすることで前記カバー装着面を凸状に形成し、前記カバーは、外周部に下方へ凸の外周リブを全周に設けることでカバー装着面の凸状に対応して裏面を凹状に形成し、前記外周リブの内側に内方へ凸のフック部を形成するとともに、前記外周リブの下面に凸条を形成し、前記カバー装着面の外周部には、前記カバーのフック部を係止する透口部を形成するとともに、前記凸条を嵌合する溝部を形成した請求項１または２に記載の洗濯機。
【請求項４】
開閉蓋を透明な材料で形成し、カバーを着色成形材にて形成した請求項１〜３のいずれか１項に記載の洗濯機。
【発明の詳細な説明】
【０００１】
【発明の属する技術分野】
本発明は、上部枠体の略中央開口部を開閉自在な開閉蓋を備えた洗濯機に関するものである。
【０００２】
【従来の技術】
従来、この種の洗濯機は、図５〜図７に示すように構成していた。以下、その構成について説明する。
【０００３】
図５に示すように、洗濯槽１は、水受け槽２に内設し、この水受け槽２を吊り棒３にて外箱４の上部より吊り下げている。上部枠体５は、外箱４を上面より覆うように配設し、上部枠体５の一部に軸支した開閉蓋６により上部枠体５の略中央開口部を開閉自在としている。
【０００４】
開閉蓋６は、図６および図７に示すように、略中央にて前後に分割して前面蓋部７と後面蓋部８とで構成し、後面蓋部８に設けたヒンジ部９を前面蓋部８に設けたヒンジ受け部１０に回動自在に嵌合している。上部枠体５に軸支部１１を設け、この軸支部１１に後面蓋部８の後部に設けた軸支受け部１２をピン１３により回動自在に取り付けている。
【０００５】
【発明が解決しようとする課題】
このような従来の構成では、開閉蓋６と上部枠体５とは、軸支部１１に軸支受け部１２をピン１３により取り付けているため、開閉蓋６を開閉するとき、軸支部１１および軸支受け部１２には、応力が集中する。このため、後面蓋部８の裏面の軸支受け部１２近傍に補強リブ１４を設けて機械的強度を補強していた。
【０００６】
そのため、開閉蓋６を開閉した場合、その補強リブ１４が見え、また、後面蓋部８を樹脂で成型したとき、補強リブ１４が表面にひけとして現れることもある。また、後面蓋部８の裏面の補強リブ１４にごみやほこりがたまりやすく、美観の面でも問題があった。
【０００７】
本発明は上記課題を解決するもので、補強リブにより開閉蓋の機械的強度を補強するとともに、開閉蓋を開閉したとき見える補強リブをなくし、また、樹脂成型時のひけが表面に現れないようにして美観を向上することを目的としている。
【０００８】
【課題を解決するための手段】
本発明は上記目的を達成するために、洗濯槽を内設した水受け槽を吊り棒にて外箱の上部より吊り下げ、外箱の上部に略中央開口部を有する上部枠体を設け、この上部枠体の略中央開口部の後部に設けた軸支部に開閉蓋を軸支して前記略中央開口部を開閉自在とし、開閉蓋は、前記軸支部に軸支される軸支受け部を後部下面から後方に延設して設け、軸支受け部近傍の開閉蓋上面部に上方へ凸で前後方向に延びた補強リブを複数本設けるとともに、軸支受け部近傍の開閉蓋裏面には補強リブを設けず、さらに、開閉蓋の後部上方には、補強リブを覆うカバーを装着し、カバーは、表面にひけとして現れる補強リブを裏面に設けない構成としたものである。
【０００９】
これにより、補強リブにより開閉蓋の機械的強度を補強できるとともに、カバーにより補強リブを覆うことができて、開閉蓋を開閉したとき見える補強リブをなくすことができ、また、樹脂成型時のひけが表面に現れないようにして美観を向上することができる。
【００１０】
【発明の実施の形態】
本発明の請求項１に記載の洗濯機は、洗濯槽を内設した水受け槽を吊り棒にて上部より吊り下げた外箱と、前記外箱の上部に設けられ略中央開口部を有する上部枠体と、前記上部枠体の略中央開口部の後部に設けた軸支部に軸支され前記略中央開口部を開閉する開閉蓋とを備え、前記開閉蓋は、前記軸支部に軸支される軸支受け部を後部下面から後方に延設して設け、かつ、前記軸支受け部近傍の前記開閉蓋上面部に上方へ凸で前後方向に延びた補強リブを複数本設けるとともに、前記軸支受け部近傍の前記開閉蓋裏面には補強リブを設けず、さらに、前記開閉蓋の後部上方には、前記補強リブを覆うカバーを装着し、前記カバーは、表面にひけとして現れる補強リブを裏面に設けない構成としたものであり、補強リブにより開閉蓋の機械的強度を補強できるとともに、カバーにより補強リブを覆うことができて、開閉蓋を開閉したとき見える補強リブをなくすことができ、また、樹脂成型時のひけが表面に現れないようにして美観を向上することができる。
【００１１】
請求項２に記載の洗濯機は、上記請求項１に記載の洗濯機において、開閉蓋は、略中央にて前後に分割して前面蓋部と後面蓋部とで構成し、前記後面蓋部の後部上方に装着され、前記補強リブを覆うカバーは、両端部の幅が前方へ広くなるよう前端部を曲線状に形成しているので、軸支部分を補強する補強リブを大きくしてもカバーで覆うことができ、さらに、カバーによって後面蓋部の強度を補強することができる。
【００１２】
請求項３に記載の洗濯機は、上記請求項１または２に記載の洗濯機において、開閉蓋は、カバーが装着されるカバー装着面の外周部を低くすることで前記カバー装着面を凸状に形成し、前記カバーは、外周部に下方へ凸の外周リブを全周に設けることでカバー装着面の凸状に対応して裏面を凹状に形成し、前記外周リブの内側に内方へ凸のフック部を形成するとともに、前記外周リブの下面に凸条を形成し、前記カバー装着面の外周部には、前記カバーのフック部を係止する透口部を形成するとともに、前記凸条を嵌合する溝部を形成したものであり、外周リブを有するカバーと後面蓋部とを一体化することにより、後面蓋部の強度を向上させることができる。
【００１３】
請求項４に記載の洗濯機は、上記請求項１〜３のいずれか１つに記載の洗濯機において、開閉蓋を透明な材料で形成し、カバーを着色成形材にて形成したものであり、洗濯槽内部の衣類を見ることができて使い勝手を向上できるとともに、開閉蓋に設けた補強リブが見えないようにでき、外観を美麗にできる。
【００１４】
【実施例】
以下、本発明の実施例について、図面を参照しながら説明する。
【００１５】
（実施例１）
図１に示すように、外箱１５は、洗濯槽１６を内設した水受け槽を吊り棒（いずれも図示せず）にて上部より吊り下げ、この外箱１５の上部に操作部１７、電装部品（図示せず）などを装着した上部枠体１８を設けている。開閉蓋１９は、上部枠体１８の一部に軸支し、上部枠体１８の略中央開口部１８ａを開閉自在とするもので、略中央にて前後に分割して前面蓋部２０と後面蓋部２１とで構成している。
【００１６】
後面蓋部２１に設けたヒンジ部２２を前面蓋部２０に設けたヒンジ受け部２３に回動自在に嵌合している。上部枠体１８に軸支部２４を設け、この軸支部２４に後面蓋部２１の後部に設けた軸支受け部２５をピン２６により取り付け軸支し、開閉蓋１９により上部枠体１８の略中央開口部１８ａを開閉自在としている。
【００１７】
また、軸支受け部２５には、開閉蓋１９を開閉するとき、他の部分と比較し応力集中がおこるため、後面蓋部２１の軸支受け部２５の近傍の表面部に補強リブ２７を設け、機械的強度を補強している。カバー２８は、後面蓋部２１の軸支受け部（軸支部分）２５を覆うもので、後面蓋部２１に装着している。
【００１８】
上記構成において作用を説明すると、開閉蓋１９は後面蓋部２１および前面蓋部２０をヒンジ部２２、ヒンジ受け部２３を介して回動自在に嵌合し、この開閉蓋１９を上部枠体１８に回動自在に軸支しており、開閉蓋１９を開閉するとき、軸支部２４および軸支受け部２５には、応力集中が起こる。
【００１９】
ここで、後面蓋部２１の軸支受け部２５近傍の表面部に補強リブ２７を設けているので、機械的強度を補強することができ、応力が集中している箇所から破損するのを防止することができる。
【００２０】
また、後面蓋部２１に、軸支受け部２５を上面側より覆うカバー２８を装着しているので、カバー２８により補強リブ２７を覆うことができて、開閉蓋１９の機械的強度を損なうことなく、開閉蓋１９を開閉したとき補強リブ２７を見えないようにでき、また、補強リブ２７を設けることによる樹脂成型時のひけが表面に現れないようにでき、美観を向上することができる。
【００２１】
（実施例２）
図２に示すように、外箱２９は、洗濯槽３０を内設した水受け槽を吊り棒（いずれも図示せず）にて上部より吊り下げ、この外箱２９の上部に操作部３１、電装部品（図示せず）などを装着した上部枠体３２を設けている。開閉蓋３３は、上部枠体３２の一部に軸支し、上部枠体３２の略中央開口部３２ａを開閉自在とするもので、略中央にて前後に分割して前面蓋部３４と後面蓋部３５とで構成し、後面蓋部３５の軸支部分を角形形状としている。
【００２２】
後面蓋部３５に設けたヒンジ部３６を前面蓋部３４に設けたヒンジ受け部３７に回動自在に嵌合している。上部枠体３２に軸支部３８を設け、この軸支部３８に後面蓋部３５の後部に設けた軸支受け部３９をピン４０により取り付けて軸支し、開閉蓋３３により上部枠体３２の略中央開口部３２ａを開閉自在としている。
【００２３】
また、軸支受け部３９には、開閉蓋３３を開閉するとき、他の部分と比較し応力集中がおこるため、後面蓋部３５の軸支受け部３９の近傍の表面部に補強リブ４１を設け、機械的強度を補強している。カバー４２は、後面蓋部３５の軸支受け部（軸支部分）３９を覆うもので、両端部の幅が広くなるよう前面４２ａを曲線状に形成し、後面蓋部３５に装着または溶着している。なお、操作部３１と前面蓋部３４と後面蓋部３５のカバー４２を装着しない部分とで、略楕円形を形成している。
【００２４】
上記構成において作用を説明すると、開閉蓋３３は後面蓋部３５および前面蓋部３４をヒンジ部３６、ヒンジ受け部３７を介して回動自在に嵌合し、この開閉蓋３３を上部枠体３２に回動自在に軸支しており、開閉蓋３３を開閉するとき、軸支部３８および軸支受け部３９には、応力集中が起こる。
【００２５】
ここで、後面蓋部３５の軸支受け部３９近傍の表面部に補強リブ４１を設けているので、機械的強度を補強することができ、応力が集中している箇所から破損するのを防止することができる。
【００２６】
また、後面蓋部３５に、軸支受け部３９を上面側より覆うカバー４２を装着しているので、カバー４２により補強リブ４１を覆うことができて、開閉蓋３３の機械的強度を損なうことなく、開閉蓋３３を開閉したとき補強リブ４１を見えないようにでき、また、補強リブ４１を設けることによる樹脂成型時のひけが表面に現れないようにでき、美観を向上することができる。
【００２７】
また、後面蓋部３５の軸支部分は角形形状であるため、開閉蓋３３を開閉するとき、軸支部分に無理な力が加わることがなく、また、軸支部分を覆うカバー４２は、両端部の幅が広くなるよう前面を曲線状に形成しているので、軸支部分を補強する補強リブ４１を大きくしてもカバー４２で覆うことができ、さらに、カバー４２によって後面蓋部３５の強度を補強することができる。
【００２８】
（実施例３）
図３に示すように、後面蓋部４３は、前部に設けたヒンジ部４４を前面蓋部（図示せず）に設けたヒンジ受け部に回動自在に嵌合して開閉蓋を構成し、後部に設けた軸支受け部４５を上部枠体の軸支部（図示せず）にピンにより取り付けて軸支する。軸支受け部４５の近傍の表面部に補強リブ４６を設け、機械的強度を補強し、カバー４７により軸支受け部（軸支部分）４５を覆い、カバー４７を装着するカバー装着面４８を凸状に形成している。
【００２９】
カバー４７は、後面蓋部４３のカバー装着面４８の形状に対応して裏面を凹状に形成し、外周リブ４９の内側に複数のフック部５０を形成するとともに、外周リブ４９の下面に、図４に示すように、凸条５１を形成している。
【００３０】
後面蓋部４３は、カバー４７のフック部５０を係止する透口部５２を形成するとともに、凸条５１を嵌合する溝部５３を形成している。他の構成は上記実施例１と同じである。
【００３１】
上記構成において作用を説明すると、図４（ａ）に示すように、カバー４７の外周リブ４９の下面に形成した凸条５１を後面蓋部４３に形成した溝部５３に嵌合させ、図４（ｂ）に示すように、カバー４７の外周リブ４９の内側に形成したフック部５０を後面蓋部４３に形成した透口部５２に係止させて、カバー４７を後面蓋部４３のカバー装着面４８に装着する。
【００３２】
このとき、後面蓋部４３のカバー装着面４８を凸状に形成し、カバー４７の裏面を凹状に形成して、後面蓋部４３のカバー装着面４８に接するよう構成することにより、後面蓋部４３とカバー４７との間に水が侵入するのを防止できる。
【００３３】
また、カバー４７の外周リブ４９の下面に形成した凸条５１を後面蓋部４３に形成した溝部５３に嵌合させ、カバー４７の外周リブ４９の内側に形成したフック部５０を後面蓋部４３に形成した透口部５２に係止させて一体化することにより、後面蓋部４３の強度を向上させることができる。
【００３４】
なお、本実施例では、カバー４７は、上記実施例２と同様に、両端部の幅が広くなるよう前面を曲線状に形成しているが、上記実施例１と同じものであっても、同様に作用効果を得ることができる。
【００３５】
（実施例４）
図２に示す前面蓋部３４と後面蓋部３５とを透明な材料で形成し、後面蓋部３５の軸支受け部３９を覆うカバー４２を着色成形材で形成している。他の構成は上記実施例１と同じである。
【００３６】
上記構成において作用を説明すると、操作部３１と前面蓋部３４と後面蓋部３５のカバー４２を装着しない部分とで、略楕円形を形成しており、この楕円形の中で前面蓋部３４と後面蓋部３５とを透明な材料で形成することにより、洗濯槽内部の衣類を見ることができて使い勝手を向上することができる。
【００３７】
また、後面蓋部３５の軸支受け部３９を覆うカバー４２を着色成形材で形成しているので、軸支受け部３９近傍に補強リブ４１を設けても見えないため、補強リブ４１によって開閉蓋の強度を向上させることができるとともに、外観を美麗にできる。
【００３８】
なお、本実施例では、上記実施例２の前面蓋部３４と後面蓋部３５とを透明な材料で形成し、後面蓋部３５の軸支受け部３９を覆うカバー４２を着色成形材で形成しているが、上記実施例１の前面蓋部２０と後面蓋部２１とを透明な材料で形成し、後面蓋部２１の軸支受け部２５を覆うカバー２８を着色成形材で形成しても、同様に作用効果を得ることができる。
【００３９】
【発明の効果】
以上のように本発明の請求項１に記載の発明によれば、洗濯槽を内設した水受け槽を吊り棒にて上部より吊り下げた外箱と、前記外箱の上部に設けられ略中央開口部を有する上部枠体と、前記上部枠体の略中央開口部の後部に設けた軸支部に軸支され前記略中央開口部を開閉する開閉蓋とを備え、前記開閉蓋は、前記軸支部に軸支される軸支受け部を後部下面から後方に延設して設け、かつ、前記軸支受け部近傍の前記開閉蓋上面部に上方へ凸で前後方向に延びた補強リブを複数本設けるとともに、前記軸支受け部近傍の前記開閉蓋裏面には補強リブを設けず、さらに、前記開閉蓋の後部上方には、前記補強リブを覆うカバーを装着し、前記カバーは、表面にひけとして現れる補強リブを裏面に設けない構成としたから、補強リブにより開閉蓋の機械的強度を補強できるとともに、カバーにより補強リブを覆うことができて、開閉蓋を開閉したとき見える補強リブをなくすことができ、また、樹脂成型時のひけが表面に現れないようにして美観を向上することができる。
【００４０】
また、請求項２に記載の発明によれば、開閉蓋は、略中央にて前後に分割して前面蓋部と後面蓋部とで構成し、前記後面蓋部の後部上方に装着され、前記補強リブを覆うカバーは、両端部の幅が前方へ広くなるよう前端部を曲線状に形成したから、軸支部分を覆うカバーは、両端部の幅が前方へ広くなるよう前端部を曲線状に形成しているので、軸支部分を補強する補強リブを大きくしてもカバーで覆うことができ、さらに、カバーによって後面蓋部の強度を補強することができる。
【００４１】
また、請求項３に記載の発明によれば、開閉蓋は、カバーが装着されるカバー装着面の外周部を低くすることで前記カバー装着面を凸状に形成し、前記カバーは、外周部に下方へ凸の外周リブを全周に設けることでカバー装着面の凸状に対応して裏面を凹状に形成し、前記外周リブの内側に内方へ凸のフック部を形成するとともに、前記外周リブの下面に凸条を形成し、前記カバー装着面の外周部には、前記カバーのフック部を係止する透口部を形成するとともに、前記凸条を嵌合する溝部を形成したから、外周リブを有するカバーと後面蓋部とを一体化することにより、後面蓋部の強度を向上させることができる。
【００４２】
また、請求項４に記載の発明によれば、開閉蓋を透明な材料で形成し、カバーを着色成形材にて形成したから、洗濯槽内部の衣類を見ることができて使い勝手を向上できるとともに、開閉蓋に設けた補強リブが見えないようにでき、外観を美麗にできる。
【図面の簡単な説明】
【図１】  本発明の第１の実施例の洗濯機の一部切欠した分解斜視図
【図２】  本発明の第２の実施例の洗濯機の一部切欠した分解斜視図
【図３】  本発明の第３の実施例の洗濯機の開閉蓋の一部切欠した分解斜視図
【図４】  （ａ）同洗濯機の開閉蓋のカバーの凸条と後面蓋部の溝部との嵌合状態を示す拡大断面図
（ｂ）同洗濯機の開閉蓋のカバーのフック部と後面蓋部の透口部との係止状態を示す拡大断面図
【図５】  従来の洗濯機の縦断面図
【図６】  同洗濯機の一部切欠した分解斜視図
【図７】  同洗濯機の開閉蓋の一部切欠した分解斜視図
【符号の説明】
１５  外箱
１６  洗濯槽
１７  操作部
１８  上部枠体
１８ａ  中央開口部
１９  開閉蓋
２５  軸支受け部（軸支部分）
２７  補強リブ
２８  カバー
【図１】
0003951448.tif 000002
【図２】
0003951448.tif 000003
【図３】
0003951448.tif 000004
【図４】
0003951448.tif 000005
【図５】
0003951448.tif 000006
【図６】
0003951448.tif 000007
【図７】
0003951448.tif 000008